(57)【要約】      （修正有）【課題】着脱が容易で、取り付け時はしっかりと固定される物品吊下げ用フック並びにフックとボードとからなるディスプレイセットを提供する。【解決手段】ベース部１２の前面から吊下げ部１１が突出し、ボードの角孔にベース部１２が着脱自在に支持される物品吊下げ用フック１であって、ベース部１２の第一溝１４は、中段から上部前片１５側が隆起して段差面１７を形成するとともに上部後片１６側が段差面を形成するように屈曲し、屈曲位置からさらに下降して上部溝底１９に達しており、第二溝２０は下部溝底２３に達している。第一溝１４の上部溝底１９から下部後片２２先端までの長さは角孔の長さより短く、上部溝底１９から下部前片２１先端までの長さは角孔の長さより長く、第二溝２０の下部溝底２３から第一溝１４の段差面１７までの長さは、角孔の長さに合わせて嵌着可能に形成する。【選択図】図１
2016214620.tif 000002
【特許請求の範囲】
【請求項１】
ベース部の前面から前方にロッド状の吊下げ部が突出するように成形され、ボードに形成された角孔にベース部が着脱自在に支持される樹脂製の物品吊下げ用フックであって、
ベース部上部を上部前片と上部後片とに分離する第一溝がベース部上端から形成されるとともに、ベース部下部を下部前片と下部後片とに分離する第二溝がベース部下端から形成され、
第一溝は、ベース部の上端から下降し、当該第一溝の中段の位置で、上部前片側が隆起して段差面を形成するとともに上部後片側が陥没して段差面を形成するように屈曲し、屈曲した位置からさらに下降して上部溝底に達するクランク形状の溝が形成され、
第二溝は、ベース部の下端から上昇して下部溝底に達する直線状の溝が形成され、
第一溝の上部溝底から下部後片の先端までの長さは、ボードに形成された角孔の上下方向の長さより短く形成され、
第一溝の上部溝底から下部前片の先端までの長さは、ボードに形成された角孔の上下方向の長さより長く形成され、
第二溝の下部溝底から第一溝の上部前片に形成された段差面までの長さは、ボードに形成された角孔に嵌着可能となるように角孔の上下方向の長さに合わせた長さに形成されるようにした物品吊下げ用フック。
【請求項２】
前記ベース部の左右幅は、前記ボードの前記角孔の左右幅に合わせて形成されている請求項１に記載の物品吊下げ用フック。
【請求項３】
複数の角孔が間隔をあけて縦横に形成されたボードと、前記角孔にベース部が着脱自在に支持される樹脂製の物品吊下げ用フックとからなるディスプレイセットであって、
前記物品吊下げ用フックは、
ベース部の前面から前方にロッド状の吊下げ部が突出するように成形され、
ベース部上部を上部前片と上部後片とに分離する第一溝がベース部上端から形成されるとともに、ベース部下部を下部前片と下部後片とに分離する第二溝がベース部下端から形成され、
第一溝は、ベース部の上端から下降し、当該第一溝の中段の位置で、上部前片側が隆起して段差面を形成するとともに上部後片側が陥没して段差面を形成するように屈曲し、屈曲した位置からさらに下降して上部溝底に達するクランク形状の溝が形成され、
第二溝は、ベース部の下端から上昇して下部溝底に達する直線状の溝が形成され、
第一溝の上部溝底から下部後片の先端までの長さは、ボードに形成された角孔の上下方向の長さより短く形成され、
第一溝の上部溝底から下部前片の先端までの長さは、ボードに形成された角孔の上下方向の長さより長く形成され、
第二溝の下部溝底から第一溝の上部前片に形成された段差面までの長さは、ボードに形成された角孔に嵌着可能となるように角孔の上下方向の長さに合わせた長さに形成されるようにしたディスプレイセット。
【請求項４】
前記物品吊下げ用フックのベース部の左右幅は、前記ボードの前記角孔の左右幅に合わせて形成されている請求項３に記載のディスプレイセット。
【発明の詳細な説明】
【技術分野】
【０００１】
本発明は、商品陳列等で物品を吊り下げるための物品吊下げ用フックに関する。また、本発明は、上記物品吊下げ用フックとボードとからなるディスプレイセットに関する。
【背景技術】
【０００２】
店頭等で商品を陳列するために、支持体となるベース部から前方に吊下げ用のロッドを突出させた吊下げ用フックが用いられている。従来の吊下げ用フックは、例えば特許文献１のように、ベース部を逆Ｕ字形の板状に湾曲させ、ボード等に設けた孔に逆Ｕ字形の背後側の部分を引っ掛けるようにしたものがある。
【先行技術文献】
【特許文献】
【０００３】
【特許文献１】特開２００６−１８０９９７号公報
【発明の概要】
【発明が解決しようとする課題】
【０００４】
上記特許文献１の吊下げ用フック（ハンガーディスプレイ）は、スリット状の横長の孔に引っ掛けることにより、簡単に取り付けられるとともに、スリット内での位置を自由に変更することができる反面、人が衝突すること等により簡単に孔から外れて落下してしまうという欠点がある。
そこで、このような吊下げ用フックは、ボード等への取り付け時の操作が簡単であり、しかも一旦取り付けた後は外れにくい構造であることが望ましい。また、取り付けた状態で簡単に位置を変更できないようにすることが望ましい場合もある。
【０００５】
そこで、本発明は物品吊下げ用フックをボード等に簡単に取り付けることができ、一旦取り付けた後は、しっかりと固定されて人が衝突したりしても決して外れることがなく、その一方で、ボードからの取り外しを簡単に行うことができる吊下げ用フックを提供することを目的とする。
【課題を解決するための手段】
【０００６】
上記課題を解決するためになされた本発明の物品吊下げ用フックは、ベース部の前面から前方にロッド状の吊下げ部が突出するように成形され、ボードに形成された角孔にベース部が着脱自在に支持される樹脂製の物品吊下げ用フックであって、ベース部上部を上部前片と上部後片とに分離する第一溝がベース部上端から形成されるとともに、ベース部下部を下部前片と下部後片とに分離する第二溝がベース部下端から形成され、第一溝は、ベース部の上端から下降し、当該第一溝の中段の位置で、上部前片側が隆起して段差面を形成するとともに上部後片側が陥没して段差面を形成するように屈曲し、屈曲した位置からさらに下降して上部溝底に達するクランク形状の溝が形成され、第二溝は、ベース部の下端から上昇して下部溝底に達する直線状の溝が形成され、第一溝の上部溝底から下部後片の先端までの長さは、ボードに形成された角孔の上下方向の長さより短く形成され、第一溝の上部溝底から下部前片の先端までの長さは、ボードに形成された角孔の上下方向の長さより長く形成され、第二溝の下部溝底から第一溝の上部前片に形成された段差面までの長さは、ボードに形成された角孔に嵌着可能となるように角孔の上下方向の長さに合わせた長さに形成されるようにしてある。
【０００７】
また、別の観点からなされた本発明のディスプレイセットは、複数の角孔が間隔をあけて縦横に形成されたボードと、前記角孔にベース部が着脱自在に支持される樹脂製の物品吊下げ用フックとからなるディスプレイセットであって、前記物品吊下げ用フックは、ベース部の前面から前方にロッド状の吊下げ部が突出するように成形され、ベース部上部を上部前片と上部後片とに分離する第一溝がベース部上端から形成されるとともに、ベース部下部を下部前片と下部後片とに分離する第二溝がベース部下端から形成され、第一溝は、ベース部の上端から下降し、当該第一溝の中段の位置で、上部前片側が隆起して段差面を形成するとともに上部後片側が陥没して段差面を形成するように屈曲し、屈曲した位置からさらに下降して上部溝底に達するクランク形状の溝が形成され、第二溝は、ベース部の下端から上昇して下部溝底に達する直線状の溝が形成され、第一溝の上部溝底から下部後片の先端までの長さは、ボードに形成された角孔の上下方向の長さより短く形成され、第一溝の上部溝底から下部前片の先端までの長さは、ボードに形成された角孔の上下方向の長さより長く形成され、第二溝の下部溝底から第一溝の上部前片に形成された段差面までの長さは、ボードに形成された角孔に嵌着可能となるように角孔の上下方向の長さに合わせた長さに形成されるようにしてある。
【０００８】
本発明の物品吊下げ用フックをボードに取り付ける際には、ベース部上部の第一溝の溝内部にボードの角孔の上辺を挿入し、ロッド状の吊下げ部を持ち上げるように傾斜させることによって、角孔の上辺を第一溝の上部溝底に当接する位置まで入れ込む。
この状態で吊下げ部の傾斜を戻していくと、第一溝の上部溝底から下部後片の先端までの長さは、ボードに形成された角孔の上下方向の長さより短く形成されているので、下部後片は角孔を通過することができる。一方、第一溝の上部溝底から下部前片の先端までの長さは、ボードに形成された角孔の上下方向の長さより長く形成されているので、下部前片は角孔を通過することができない。
したがって下部後片が角孔を通過し、下部前片がボードに当接する状態になるので、この位置で吊下げ部を下方に移動すると、角孔の下辺が第二溝に嵌まり込む。
そして角孔の下辺が第二溝の下部溝底に当接すると、上部前片の段差面が角孔に嵌り込んで角孔の上辺と下辺との間にベース部がしっかりと嵌着され、ボードにフックがしっかりと固定される。
次に、フックをボードから取り外す際は、吊下げ部を下向きに傾斜させて上部前片の段差面を角孔から抜きながら、吊下げ部を上方に移動する。これにより一旦角孔の上辺を上部溝底に当接する位置まで入り込ませる。この状態で吊下げ部を上方に持ち上げていくと下部後片を角孔から抜き出すことができる。
本発明の物品吊下げ用フックは、上記した通りの手順を実行しなければ決して取り外すことができないので、誤って外れるようなことがなく信頼性の高い着脱を実現することができる。また、ベース部が角孔に嵌着された状態ではしっかりと固定されているので、取り付け位置が移動することもない。
【発明の効果】
【０００９】
本発明によれば、所定の手順で取り付けを行うことにより、物品吊下げ用フックをボードに簡単に取り付けることができる。また、一旦取り付けた後は、しっかりと固定されて人が衝突したりしても決して外れることがない。また、ボードから取り外す際は、所定の手順通りに行えば簡単に取り外すことができる。
【００１０】
上記発明において物品吊下げ用フックは、ベース部の左右幅が、前記ボードの前記角孔の左右幅に合わせて形成されるようにしてもよい。これにより、フックは、がたつくことなくしっかりと固定することができる。
【図面の簡単な説明】
【００１１】
【図１】本発明に係る物品吊下げ用フックの一実施例を示す斜視図。
【図２】図１の物品吊下げ用フックの正面図。
【図３】本発明に係るディスプレイセットの一実施例を示す図。
【図４】図１の物品吊下げ用フックのボード取り付け手順を示す図。
【発明を実施するための形態】
【００１２】
以下において、本発明の詳細をその実施形態を示す図面に基づいて説明する。
図１は本発明の一実施形態である物品吊下げ用フック１を示した斜視図であり、図２はその正面図である。また、図３は本発明のディスプレイセット（物品吊下げ用フック１をボード２の角孔３に取り付けた使用状態）の一実施形態を示す図である。
【００１３】
物品吊下げ用フック１は、樹脂材からなり、吊下げ部１１とベース部１２とが一体成形される。吊下げ部１１は先端側が湾曲したロッド状となっており、ベース部１２の前面１３から前方に突出するように形成され、この吊下げ部１１に商品等の物品を吊り下げることができるようにしてある。また、ベース部１２の左右幅Ｗは、ボード２に形成された角孔３の左右幅Ｗに合わせてあり、ベース部１２を角孔３に嵌め込んだ際にがたつかない寸法にしてある。
【００１４】
ベース部１２は肉厚に成形され、上端に第一溝１４が形成されるとともに、ベース部１２の上部が前面１３に沿って平行な上部前片１５と上部後片１６とに分離するようにしてある。
第一溝１４はベース部１２の上端から下降し、第一溝１４の中段の位置で上部前片１５側が隆起して段差面１７を形成するとともに、上部後片１６側が陥没して段差面１８を形成するように屈曲する。さらに、第一溝１４は屈曲した位置から下降して上部溝底１９に達するようにしてあり、これにより第一溝１４にはクランク状の溝が形成されるようにしてある。
【００１５】
ベース部１２の下部には、下端から上昇して下部溝底２３に達する直線状の第二溝２０が形成され、この第二溝２０によってベース部１２の下部が前面１３に沿って平行な下部前片２１と下部後片２２とに分離されるようにしてある。
【００１６】
第一溝１４の上部溝底１９から下部後片２２の先端までの長さＡは、ボード２に形成された角孔３の上下方向の長さＤより短くなるように形成してある。
また、第一溝１４の上部溝底１９から下部前片２１の先端までの長さＢは、角孔３の上下方向の長さＤより長く形成してある。
第二溝２０の下部溝底２３から上部前片１５に形成された段差面１７までの長さＣは、角孔３に嵌着できるように角孔３の上下方向の長さＤと一致する長さに形成してある。
【００１７】
次に、本発明の物品吊下げ用フック１をボード２の角孔３に着脱するときの動作について図４を用いて説明する。
図４（ａ）に示すように、第一溝１４に角孔３の上辺を入れ、吊下げ部１１を持ち上げて適切な角度に傾斜させることによって、角孔３の上辺を第一溝１４の上部溝底１９に当接する位置まで入れ込む。
この状態で吊下げ部１１を水平になるまで傾斜を戻していくと、上部溝底１９から下部後片２２の先端までの長さＡは、角孔３の上下方向の長さＤより短く形成されているので、下部後片２２は角孔３を通過することができる。一方、上部溝底１９から下部前片２１の先端までの長さＢは、角孔３の上下方向の長さＤより長く形成されているので、下部前片２１は角孔３を通過することができない。
したがって、下部前片２１がボード２に当接する状態になるので、この位置で吊下げ部１１を下方に移動すると、角孔３の下辺が第二溝２０に嵌まり込む。
【００１８】
そして図４（ｂ）に示すように、角孔３の下辺が第二溝２０の下部溝底２３に当接すると、下部溝底２３から上部前片１５に形成された段差面１７までの長さＣは角孔３の上下方向の長さＤに一致させた長さに形成してあるので、上部前片１５の段差面１７が角孔３に嵌り込んで角孔３の上辺と下辺との間で嵌着され、ベース部１２がボード２にしっかりと固定される（図３参照）。
【００１９】
また、物品吊下げ用フック１をボード２から取り外す際は、吊下げ部１１を下向きに押圧して上部前片１５の段差面１７を角孔３から抜き出しながら、吊下げ部１１を上方に移動させて、角孔３の上辺を上部溝底１９に当接する位置まで入り込ませる。この状態で吊下げ部１１を上方に傾斜させていくと、下部後片２２を角孔３から抜き出すことができ、図４（ａ）の状態になる。その後、第一溝１４から角孔３の上辺を抜き取ることでボード２から取り外すことができる。
【産業上の利用可能性】
【００２０】
本発明は、物品吊下げ用フック並びに当該物品吊下げ用フックとボードとからなるディスプレイセットとして利用することができる。
【符号の説明】
【００２１】
１  物品吊下げ用フック
２  ボード
３  角孔
１１  吊下げ部
１２  ベース部
１３  ベース部前面
１４  第一溝
１５  上部前片
１６  上部後片
１７，１８  段差面
１９  上部溝底
２０  第二溝
２１  下部前片
２２  下部後片
２３  下部溝底
【図１】
2016214620.tif 000003
【図２】
2016214620.tif 000004
【図３】
2016214620.tif 000005
【図４】
2016214620.tif 000006